【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
外部の熱交換対象物（１）に対する熱交換面（２０ａ）となる外表面を有する流路管（２０）と、
上記流路管の管内を熱媒体（Ｃ）が流れる複数の流路（２８，２９）に仕切るプレート状の仕切部材（２３）と、
上記流路管の管内に上記複数の流路のそれぞれを複数の細流路（２８ａ，２９ａ）に分割するように設けられたインナーフィン（２５，２６，１２５，１２６）と、
を備え、
上記仕切部材には、上記複数の流路のうちの少なくとも２つの流路を連通させる連通孔（２４，１２４，２２４，３２４）が設けられており、
上記インナーフィンは、上記仕切部材に対向する凸部（２５ａ，２６ａ）と凹部（２５ｂ，２６ｂ）が交互に複数形成された波型断面形状を有し、上記凸部において上記仕切部材に接合されるように構成されており、
上記連通孔は、上記仕切部材のうち上記インナーフィンの上記凸部との接合部（２３ａ）に設けられている、熱交換器（１１０，２１０，３１０，４１０，５１０，６１０）。
【請求項２】
上記仕切部材の上記連通孔を第１連通孔としたとき、上記インナーフィンには、上記複数の細流路のうち互いに隣接する２つの細流路を連通させる第２連通孔（１２５ｃ，１２６ｃ）が設けられている、請求項１に記載の熱交換器。
【請求項３】
上記連通孔は、内周面（２４ａ）の表面積（Ｓａ）が開口部（２４ｂ）の開口面積（Ｓｂ）の２倍を上回るように構成されている、請求項１または２に記載の熱交換器。
【請求項４】
上記連通孔は、上記仕切部材の厚み方向（Ｘ）に対して斜めに延在するように構成されている、請求項１〜３のいずれか一項に記載の熱交換器。
【請求項５】
上記連通孔は、ねじ孔として構成されている、請求項１〜４のいずれか一項に記載の熱交換器。
【請求項６】
上記連通孔は、上記仕切部材のうち上記熱交換対象物と対向する対向領域（Ｔ）に設けられている、請求項１〜５のいずれか一項に記載の熱交換器。
【手続補正２】
【補正対象書類名】明細書
【補正対象項目名】０００９
【補正方法】変更
【補正の内容】
【０００９】
本発明の一態様は、
外部の熱交換対象物（１）に対する熱交換面（２０ａ）となる外表面を有する流路管（２０）と、
上記流路管の管内を熱媒体（Ｃ）が流れる複数の流路（２８，２９）に仕切るプレート状の仕切部材（２３）と、
上記流路管の管内に上記複数の流路のそれぞれを複数の細流路（２８ａ，２９ａ）に分割するように設けられたインナーフィン（２５，２６，１２５，１２６）と、
を備え、
上記仕切部材には、上記複数の流路のうちの少なくとも２つの流路を連通させる連通孔（２４，１２４，２２４，３２４）が設けられており、
上記インナーフィンは、上記仕切部材に対向する凸部（２５ａ，２６ａ）と凹部（２５ｂ，２６ｂ）が交互に複数形成された波型断面形状を有し、上記凸部において上記仕切部材に接合されるように構成されており、
上記連通孔は、上記仕切部材のうち上記インナーフィンの上記凸部との接合部（２３ａ）に設けられている、熱交換器（１１０，２１０，３１０，４１０，５１０，６１０）、
にある。
【手続補正３】
【補正対象書類名】明細書
【補正対象項目名】００１３
【補正方法】変更
【補正の内容】
【００１３】
【図１】参考例１の熱交換器の概要を示す平面図。
【図２】図１の熱交換器の第１流路管の分解斜視図。
【図３】図１の熱交換器の第２流路管の分解斜視図。
【図４】図１の熱交換器の第３流路管の分解斜視図。
【図５】図３の第２流路管の断面構造を示す断面図。
【図６】図５中の連通孔について内周面の表面積と開口部の開口面積とについて説明するための図。
【図７】図５において連通孔の効果を説明するための図。
【図８】実施形態２の熱交換器について図５に対応した断面図。
【図９】実施形態３の熱交換器について図５に対応した断面図。
【図１０】実施形態４の熱交換器について図５に対応した断面図。
【図１１】実施形態５の熱交換器について図５に対応した断面図。
【図１２】実施形態６の熱交換器について図５に対応した断面図。
【図１３】実施形態７の熱交換器について図５に対応した断面図。
【図１４】参考例２の熱交換器について図５に対応した断面図。
【図１５】参考例３の熱交換器について図５に対応した断面図。
【手続補正４】
【補正対象書類名】明細書
【補正対象項目名】００１６
【補正方法】変更
【補正の内容】
【００１６】
（参考例１）
図１及び図２に示されるように、参考例１の熱交換器１０は、いずれも発熱部品である外部の複数の半導体モジュール１を冷却するためのものである。従って、この熱交換器１０を、「冷却器」或いは「冷却装置」ということもできる。
【手続補正５】
【補正対象書類名】明細書
【補正対象項目名】００４８
【補正方法】変更
【補正の内容】
【００４８】
次に、参考例１の作用効果について説明する。
【手続補正６】
【補正対象書類名】明細書
【補正対象項目名】００５５
【補正方法】変更
【補正の内容】
【００５５】
このとき、本参考例１では、２つの流路２８，２９は、仕切部材２３に設けられた連通孔２４を通じて連通している。このため、２つの流路２８，２９の間で圧力の偏りが生じたときでも、高圧側の第１流路２８の圧力Ｐ１を仕切部材２３の連通孔２４を通じて低圧側の第２流路２９に分散させることによって、この圧力の偏りが小さくなるように抑えることができる。圧力Ｐ１が圧力Ｐ２に近づいて圧力の偏りが解消されることによって、流量の偏りが軽減され、第１流路２８における熱媒体Ｃの流量Ｌ１が回復する。その結果、仕切部材２３に連通孔２４が設けられていない場合に比べて、半導体モジュール１と熱交換器１０との間の熱交換性能を向上させることができる。
【手続補正７】
【補正対象書類名】明細書
【補正対象項目名】００６３
【補正方法】変更
【補正の内容】
【００６３】
以下、上記の参考例１に関連する他の実施形態について図面を参照しつつ説明する。他の実施形態において、参考例１の要素と同一の要素には同一の符号を付しており、当該同一の要素についての説明を省略する。
【手続補正８】
【補正対象書類名】明細書
【補正対象項目名】００６４
【補正方法】変更
【補正の内容】
【００６４】
（実施形態２）
図８に示されるように、実施形態２の熱交換器１１０は、第２流路管２０Ｂの仕切部材２３に設けられた連通孔２４の位置が、参考例１の熱交換器１０に対して相違している。特に図示しないものの、この熱交換器１１０において、第１流路管２０Ａ及び第３流路管２０Ｃも第２流路管２０Ｂと同様の構造を有する。
【手続補正９】
【補正対象書類名】明細書
【補正対象項目名】００６５
【補正方法】変更
【補正の内容】
【００６５】
連通孔２４は、仕切部材２３のうちインナーフィン２５，２６の凸部２５ａ，２６ａとの接合部２３ａに設けられており、非接合部２３ｂには設けられていない。このため、連通孔２４は、仕切部材２３とその両側の２つの凸部２５ａ，２６ａを貫通するように構成されている。この連通孔２４が設けられている接合部２３ａは、半導体モジュール１からの熱がインナーフィン２５，２６の凸部２５ａ，２６ａを通じて導入され易く、熱媒体Ｃの発生が起こりやすい箇所である。
その他の構成は、参考例１と同様である。
【手続補正１０】
【補正対象書類名】明細書
【補正対象項目名】００６６
【補正方法】変更
【補正の内容】
【００６６】
上記の熱交換器１１０によれば、熱媒体Ｃの沸騰による圧力上昇が生じ易い領域に連通孔２４を設けるため、この連通孔２４を通じて高圧側の流路の圧力を低圧側の流路に応答性良く分散させることができる。
その他、参考例１と同様の作用効果を奏する。
【手続補正１１】
【補正対象書類名】明細書
【補正対象項目名】００６７
【補正方法】変更
【補正の内容】
【００６７】
（実施形態３）
図９に示されるように、実施形態３の熱交換器２１０は、第２流路管２０Ｂの仕切部材２３に設けられた連通孔２４の位置が、参考例１の熱交換器１０に対して相違している。特に図示しないものの、この熱交換器２１０において、第１流路管２０Ａ及び第３流路管２０Ｃも第２流路管２０Ｂと同様の構造を有する。
【手続補正１２】
【補正対象書類名】明細書
【補正対象項目名】００６８
【補正方法】変更
【補正の内容】
【００６８】
連通孔２４は、仕切部材２３のうちインナーフィン２５，２６の凸部２５ａ，２６ａとの接合部２３ａと非接合部２３ｂの両方に設けられている。
その他の構成は、参考例１と同様である。
【手続補正１３】
【補正対象書類名】明細書
【補正対象項目名】００６９
【補正方法】変更
【補正の内容】
【００６９】
上記の熱交換器２１０によれば、仕切部材２３に連通孔２４を概ね均等に配置することによって、高圧側の流路の圧力を低圧側の流路に分散させるための応答性を向上させることができる。
その他、参考例１と同様の作用効果を奏する。
【手続補正１４】
【補正対象書類名】明細書
【補正対象項目名】００８５
【補正方法】変更
【補正の内容】
【００８５】
（参考例２）
図１４に示されるように、参考例２の熱交換器７１０は、第２流路管２０Ｂの管内に設けられた２つのインナーフィン１２５，１２６の構造が、参考例１の熱交換器１０に対して相違している。特に図示しないものの、この熱交換器２１０において、第１流路管２０Ａ及び第３流路管２０Ｃも第２流路管２０Ｂと同様の構造を有する。
【手続補正１５】
【補正対象書類名】明細書
【補正対象項目名】００８６
【補正方法】変更
【補正の内容】
【００８６】
仕切部材２３の連通孔２４を第１連通孔としたとき、インナーフィン１２５には、複数の細流路２８ａのうち互いに隣接する２つの細流路２８ａを連通させる第２連通孔１２５ｃが設けられている。同様に、インナーフィン１２６には、複数の細流路２９ａのうち互いに隣接する２つの細流路２９ａを連通させる第２連通孔１２６ｃが設けられている。
その他の構成は、参考例１と同様である。
【手続補正１６】
【補正対象書類名】明細書
【補正対象項目名】００８７
【補正方法】変更
【補正の内容】
【００８７】
上記の熱交換器７１０によれば、第１流路２８と第２流路２９との間に圧力や流量の偏りが生じるのを連通孔２４によって抑えるとともに、第１流路２８の複数の細流路２８ａの間に圧力や流量の偏りが生じるのを第２連通孔１２５ｃによって抑え、且つ第２流路２９の複数の細流路２９ａの間に圧力や流量の偏りが生じるのを第２連通孔１２６ｃによって抑えることができる。
その他、参考例１と同様の作用効果を奏する。
【手続補正１７】
【補正対象書類名】明細書
【補正対象項目名】００８８
【補正方法】変更
【補正の内容】
【００８８】
なお、この参考例２に特に関連する変更例として、実施形態２〜７のそれぞれにおいて、インナーフィン２５，２６をインナーフィン１２５，１２６に置き換えた構造を採用することもできる。
【手続補正１８】
【補正対象書類名】明細書
【補正対象項目名】００８９
【補正方法】変更
【補正の内容】
【００８９】
（参考例３）
図１５に示されるように、参考例３の熱交換器８１０は、第２流路管２０Ｂの構造が、参考例１の熱交換器１０に対して相違している。特に図示しないものの、この熱交換器２１０において、第１流路管２０Ａ及び第３流路管２０Ｃも第２流路管２０Ｂと同様の構造を有する。
【手続補正１９】
【補正対象書類名】明細書
【補正対象項目名】００９０
【補正方法】変更
【補正の内容】
【００９０】
第２流路管２０Ｂの管内には、インナーフィン２５，２６が設けられていない。
その他の構成は、参考例１と同様である。
【手続補正２０】
【補正対象書類名】明細書
【補正対象項目名】００９１
【補正方法】変更
【補正の内容】
【００９１】
上記の熱交換器７１０によれば、熱交換器１０に比べて構造を簡素化することができる。
その他、参考例１と同様の作用効果を奏する。
【手続補正２１】
【補正対象書類名】明細書
【補正対象項目名】００９２
【補正方法】変更
【補正の内容】
【００９２】
なお、この参考例３に特に関連する変更例として、実施形態２〜８のそれぞれにおいて、インナーフィン２５，２６或いはインナーフィン１２５，１２６が省略された構造を採用することもできる。